(57)【要約】【課題】メモリ手段を有効活用できるデータロガーの提供。【解決手段】制御手段とメモリ手段と操作手段と出力手段とを備える装置本体と、サンプリング間隔が最短およびその整数倍のチャンネルからの各サンプリングデータを取り込む入力部とで構成され、制御手段は、各チャンネルのうちサンプリング間隔が最短のチャンネルを基準に当初サンプリング間隔としてその余のチャンネルを含め当初設定時刻から計測を開始して得られたそれぞれのサンプリングデータを前記メモリ手段にメモリデータとして各別に格納させるとともに、当初サンプリング間隔以外のサンプリング間隔の各チャンネルに設定されている実測開始時刻が到達した際に該当チャンネルのメモリデータを削除するなどして実測開始時刻以降のサンプリングデータを本来のサンプリング間隔のもとで実メモリデータとしてメモリ手段に格納可能とした。【選択図】図２
2016057665.tif 000002
【特許請求の範囲】
【請求項１】
全体を統括制御する制御手段と、必要データを格納するメモリ手段と、必要な操作処理を行う操作手段と、前記制御手段による処理結果を出力する出力手段とを少なくとも備える装置本体と、サンプリング間隔が最短およびその適宜の整数倍である複数のチャンネルからの各サンプリングデータを前記装置本体側に取り込むための１以上の入力部とで構成され、
前記制御手段は、各チャンネルのうちサンプリング間隔が最短のチャンネルを基準に当初サンプリング間隔としてその余のチャンネルを含め当初設定時刻から計測を開始して得られたそれぞれのサンプリングデータを前記メモリ手段にメモリデータとして各別に格納させるとともに、前記当初サンプリング間隔以外のサンプリング間隔の各チャンネルに設定されている実測開始時刻が到達した際に該当チャンネルの前記メモリデータの既格納領域に前記実測開始時刻以降のサンプリングデータを本来のサンプリング間隔の実メモリデータとして改めて格納開始させるようにしたことを特徴とするデータロガー。
【請求項２】
前記入力部は、単チャンネルもしくは複数チャンネルを有して前記装置本体側に連結される１以上の入力ユニットである請求項１に記載のデータロガー。
【請求項３】
各チャンネルから経時的に取得される前記サンプリングデータのそれぞれは、対応する前記メモリデータに経時判断要素を付加した計測データとして装置本体が備える前記出力手段を介して出力可能とした請求項１または２に記載のデータロガー。
【発明の詳細な説明】
【技術分野】
【０００１】
本発明は、複数のチャンネルから入力されるサンプリングデータを計測するデータロガーに関する技術である。
【背景技術】
【０００２】
データロガーは、研究や製品開発の現場で温度データや電圧データなどの必要な計測データをサンプリングデータとして時系列的に計測・収集しようとする際に用いられている。この場合における計測データは、計測が必要な計測ポイントの数に応じて１０カ所程度で足りるものから１００カ所以上に達するものまであることから、これらの要請に応じ得る複数のチャンネルを備えるデータロガーが必要とされている。
【０００３】
このため、この種のデータロガーについては、装置本体と、該装置本体に入力部として連結される例えば複数のセンサユニットとで構成し、装置本体に対しセンサユニットを連続的に連結することで、計測可能なチャンネル数を増設できるようにしたものも、例えば特許文献１に開示されているように既に提案されている。
【０００４】
すなわち、特許文献１のデータロガーについては、例えば１台のセンサユニットに１５チャンネル分の計測センサを取り付けて装置本体に連結することで、１５チャンネル分の計測ができるようにしたり、同様のセンサユニットを装置本体に４台連結することで６０チャンネル分の計測ができるようにするなど、複数のチャンネルに対応し得るようにして構成されている。
【先行技術文献】
【特許文献】
【０００５】
【特許文献１】特開２００９−１４５１６３号公報
【発明の概要】
【発明が解決しようとする課題】
【０００６】
ところで、近時、家庭用燃料電池や車両用バッテリの性能向上に向けた開発が進み、多点での電圧・温度計測の必要性が高まってきている。特に、最近におけるハイブリットシステム車など電子化された自動車の分野においては、負荷の急変に対応させた計測が要求されていることから、上記したデータロガーにも複数のチャンネルを高速サンプリングすることができる能力を備えているものが必要とされるに至っている。
【０００７】
一方、特許文献１を含む従来からあるデータロガーにあっては、チャンネル毎に個別スタートさせたり、個別にストップさせたり、チャンネル毎にサンプリング間隔を変えたりするのをハード的に行おうとしても、そのために必要となる制御系を複雑化させてしまうことから、各チャンネルの計測を一律に最も早いサンプリング間隔のもとで同時にスタートさせ、かつ、同時にストップさせるようにしてサンプリングデータを入手せざるを得ないのが実情であった。
【０００８】
このため、従来からあるデータロガーによる場合は、最も早いサンプリング間隔のチャンネルにその余の各チャンネルのサンプリング間隔も合わせた上で、チャンネル毎のサンプリングデータの全てを要不要にかかわらず計測開始時刻から計測終了時刻に至るまでメモリデータとして装置本体が備えるメモリ手段に格納していたため、それだけメモリ手段のメモリ領域を不必要に多く使うことになってメモリ容量を有効に活用することができないという不都合があった。
【０００９】
本発明は、上記した従来技術の課題に鑑み、各チャンネルから取得される有用なサンプリングデータのみを装置本体が備えるメモリ手段に格納してそのメモリ容量を有効に活用できるようにしたデータロガーを提供することを目的とする。
【課題を解決するための手段】
【００１０】
本発明は、上記目的を達成すべくなされたものであり、全体を統括制御する制御手段と、必要データを格納するメモリ手段と、必要な操作処理を行う操作手段と、前記制御手段による処理結果を出力する出力手段とを少なくとも備える装置本体と、サンプリング間隔が最短およびその適宜の整数倍である複数のチャンネルからの各サンプリングデータを前記装置本体側に取り込むための１以上の入力部とで構成され、前記制御手段は、各チャンネルのうちサンプリング間隔が最短のチャンネルを基準に当初サンプリング間隔としてその余のチャンネルを含め当初設定時刻から計測を開始して得られたそれぞれのサンプリングデータを前記メモリ手段にメモリデータとして各別に格納させるとともに、前記当初サンプリング間隔以外のサンプリング間隔の各チャンネルに設定されている実測開始時刻が到達した際に該当チャンネルの前記メモリデータの既格納領域に前記実測開始時刻以降のサンプリングデータを本来のサンプリング間隔の実メモリデータとして改めて格納開始させるようにしたことを最も主要な特徴とする。
【００１１】
この場合、前記入力部は、単チャンネルもしくは複数チャンネルを有して前記装置本体側に連結される１以上の入力ユニットで構成することができる。
【００１２】
また、各チャンネルから経時的に取得される前記サンプリングデータのそれぞれは、対応する前記メモリデータに経時判断要素を付加した計測データとして装置本体が備える前記出力手段を介して出力可能とすることもできる。
【発明の効果】
【００１３】
請求項１に記載の発明によれば、当初設定時刻以降の各チャンネルからのサンプリングデータは、最短の当初サンプリング間隔のもとでメモリ手段にメモリデータとしてすべて格納する一方で、当初サンプリング間隔以外のサンプリング間隔の各チャンネルからのサンプリングデータについては、それぞれの実測開始時刻が到達した際に該当チャンネルの当初設定時刻以降のメモリデータの既格納領域に実測開始時刻以降のサンプリングデータを当初サンプリング間隔の整数倍である本来のサンプリング間隔の実メモリデータとして改めてメモリ手段に間引きながら格納開始させることができるので、それだけメモリ手段のメモリ容量を有効に活用することができる。
【００１４】
請求項２に記載の発明によれば、入力部は、単チャンネルもしくは複数チャンネルを有して装置本体側に連結される１以上の入力ユニットで構成されているので、多チャンネル化の要請にも対応させることができる。
【００１５】
請求項３に記載の発明によれば、各チャンネルから経時的に取得されるサンプリングデータのそれぞれは、対応するメモリデータに経時判断要素を付加した計測データとして出力手段を介して一括出力させることができるので、各計測データの経過時間との対応関係をより整合させた状態のもとで明確に視認することができる。
【図面の簡単な説明】
【００１６】
【図１】本発明に係るデータロガーの構成例を示すハードブロック図。
【図２】センサユニット１とセンサユニット２との関係を例にしてそれぞれのサンプリングデータのメモリ手段への格納状況を示すタイミングチャート図。
【図３】図２との関係でそれぞれのサンプリングデータのメモリ手段への格納手順例を示すフローチャート図。
【発明を実施するための形態】
【００１７】
以下に、図面を参照して本発明の実施形態について具体的に説明する。図１は、本発明に係るデータロガーの構成例を示すハードブロック図である。同図によれば、データロガー１１は、全体を統括制御する制御手段（ＣＰＵ）１３と、必要データを保持するメモリ手段１４と、必要な操作処理を行うキーボード等の操作手段１５と、制御手段１３による処理結果を出力するＬＣＤなどの表示部やプリンタなどの印字部からなる出力手段１６とを少なくとも備える装置本体１２と、サンプリング間隔が最短およびその適宜の整数倍である複数のチャンネルからの各サンプリングデータを装置本体１２側に取り込むための１以上の入力部３２とで構成されている。
【００１８】
この場合、装置本体１２は、入力部３２からの入力信号を減衰するアッテネータ２２と、減衰された入力信号を増幅するアンプ２３と、該アンプ２３からの出力信号をディジタル変換するＡ／Ｄコンバータ２４と、該Ａ／Ｄコンバータ２４を経たディジタル信号を絶縁をとって入力するための絶縁素子２５とを備えており、該絶縁素子２５を経たディジタル信号が制御手段１３側へと入力されるようになっている。
【００１９】
また、メモリ手段１４は、読み出し専用のメインメモリ（ＲＯＭ）１４ａと、
書き込みと読み出しとが可能なワーク用・ストレージ用メモリ（ＲＡＭ）１４ｂとで構成されている。なお、図中の符号１７は、外部インターフェースを示す。
【００２０】
一方、入力部１２は、外部から入力された信号をサンプリングして装置本体１２側に取り込むために用いられるものであり、例えば複数のチャンネルを備える１台のセンサユニットや、それぞれが１以上のチャンネルを備える２台以上のセンサユニットを組み合わせるなどして構成されている。
【００２１】
図２は、チャンネル１とチャンネル２との関係を例にして示す本発明におけるタイミングチャート図であり、図３は、その際の処理手順を示すフローチャート図である。なお、これらの図におけるチャンネル１とチャンネル２とは、例えば入力部１２がセンサユニットで構成されていると仮定するならば、同じ１台のセンサユニットが備えるものであってもよく、異なる２台のセンサユニットが各別に備えるものであってもよい。
【００２２】
これらの図によれば、チャンネル１，２は、いずれも当初サンプリング間隔であるサンプリング間隔１００ｍｓのもとで１０：００（当初設定時刻）に至ると同時に計測を開始する。この場合、チャンネル１は、制御手段１３からの指示に基づき当初設定時刻である１０：００から実測を開始して計測終了時刻に至るまでこれを続けるように設定されている。
【００２３】
また、チャンネル２は、計測開始時刻（当初設定時刻）から計測終了時刻に至るまでの間の特定時刻、例えば１１：００が実測開始時刻として予め設定されており、制御手段１３からの指示に基づき１１：００から実測を開始することになる。この場合、チャンネル２の１１：００以降のサンプリング間隔は、チャンネル１のサンプリング間隔１００ｍｓの整数倍、例えば１０倍である１ｓに変更されるように設定されているので、１１：００以降はそれ以前に比べ１０個につき１個をピックアップしてサンプリングされることになる。
【００２４】
このため、チャンネル１とチャンネル２とは、いずれも制御手段１３からの指示に基づき当初設定時刻である１０：００になると同じサンプリング間隔１００ｍｓで計測が開始され、１００ｍｓ間隔のサンプリングデータとしてそれぞれがメモリ手段１４におけるストレージ用メモリ１４ｂの対応所定領域にメモリデータとして各別に格納・保持されることになる。
【００２５】
しかも、チャンネル１の側は、当初設定時刻（計測開始時刻）である１０：００と計測終了時刻との間に設定されたチャンネル２のための実測開始時刻である１１：００になっても、サンプリング間隔１００ｍｓのままのサンプリングデータを計測終了時刻に至るまでメモリ手段１４におけるストレージ用メモリ１４ｂの対応所定領域に実メモリデータとして格納・保持され続けることになる。
【００２６】
一方、チャンネル２の側は、制御手段１３からの指示に基づき実測開始時刻である１１：００になると、当初設定時刻（計測開始時刻）である１０：００から該実測開始時刻に至るまでの間にサンプリング間隔１００ｍｓでメモリ手段１４におけるストレージ用メモリ１４ｂの対応所定領域に格納されているメモリデータを無用な仮データであるとして削除したり該メモリデータに上書きするデータ削除処理が行われる。
【００２７】
しかも、チャンネル２の実測開始時刻以降のサンプリング間隔は、上記データ削除処理を行った後、最短のサンプリング間隔１００ｍｓからその整数倍である本来のサンプリング間隔、例えば１ｓへと変更されるので、１０個につき１個をピックアップして間引かれたサンプリング間隔１ｓのサンプリングデータが実メモリデータとしてメモリ手段１４のストレージ用メモリ１４ｂの対応所定領域に格納する間引き後データ格納処理が計測終了時刻に至るまで行われる。
【００２８】
この場合、各チャンネルから経時的に取得されるサンプリングデータのそれぞれは、対応するメモリデータに経時判断要素としてタイムスタンプやサンプリング番号などを付加した測定データとしてメモリ手段１４のストレージ用メモリ１４ｂに格納し、かつ、装置本体１２が備える出力手段１６である表示部や印字部を介して一括描画するようにすることもできる。
【００２９】
次に、上記した構成からなる本発明の作用効果を説明すれば、チャンネル１は、当初設定時刻として設定された計測開始時刻である１０：００から計測終了時刻に至るまで最短の当初サンプリング間隔である例えば１００ｍｓ間隔のサンプリングデータをメモリ手段１４におけるストレージ用メモリ１４ｂの対応所定領域にメモリデータとして格納・保持させることができることになる。
【００３０】
一方、当初設定時刻である１０：００以降のチャンネル２を含む当初サンプリング間隔以外のサンプリング間隔のその余の各チャンネルについては、それぞれにつき予め実測開始時刻が各別に設定される。
【００３１】
その結果、チャンネル２を含むその余のチャンネルについては、当初サンプリング間隔の整数倍である本来のサンプリング間隔のもとで計測を開始するそれぞれの実測開始時刻がくると、例えばチャンネル２の場合では、実測開始時刻である１１：００になるとメモリ手段１４におけるストレージ用メモリ１４ｂの対応所定領域（既格納領域）に格納されているサンプリング間隔１００ｍｓのメモリデータが無用な仮データであるとして削除したり該メモリデータに上書きしたりするデータ削除処理が行われ、１１：００以降のサンプリングデータが本来のサンプリング間隔１ｓの実メモリデータとしてメモリ手段１４におけるストレージ用メモリ１４ｂの対応所定領域に格納・保持されることになる。
【００３２】
つまり、当初サンプリング間隔が本来のサンプリング間隔ではないチャンネル１以外のチャンネル２を含むその余の各チャンネルについては、それぞれの実測開始時刻がくるたびに該当チャンネルのそれまでのメモリデータをメモリ手段１４におけるストレージ用メモリ１４ｂから削除したりストレージ用メモリ１４ｂに上書きした上で、それ以降のサンプリングデータを最短のサンプリング間隔である例えば１００ｍｓとの関係でその整数倍の本来のサンプリング間隔に応じてピックアップして間引かれた実メモリデータとしてストレージ用メモリ１４ｂの対応所定領域に格納することができるので、それだけメモリ手段１４におけるストレージ用メモリ１４ｂのメモリ容量を有効に活用することができることになる。
【００３３】
また、入力部が単チャンネルもしくは複数チャンネルを有して装置本体１２側に連結される１以上の入力ユニットにより構成されている場合には、多チャンネル化の要請にも対応させながメモリ手段１４におけるストレージ用メモリ１４ｂのメモリ容量を有効に活用することができることになる。
【００３４】
さらに、チャンネル１，２を含む各チャンネルから経時的に取得されるサンプリングデータのそれぞれが対応するメモリデータにタイムスタンプやサンプリング番号などの経時判断要素を付加した測定データとしてＬＣＤなどの表示部やプリンタなどの印字部からなる出力手段１６を介して一括描画させることができる場合には、各計測データの経過時間との対応関係をより整合させた状態のもとで明確に視認することができる。
【００３５】
以上は、本発明を図示例に基づいて説明したものであり、その具体的な内容はこれに限定されるものではない。すなわち、各チャンネルの実測開始時刻は、サンプリング間隔の長短とは無関係に適宜に設定することができる。例えばサンプリング間隔が最短な当初サンプリング間隔の複数のチャンネルについては、サンプリングデータも当初設定時刻から計測終了に至るまで同じサンプリング間隔のもとでメモリ手段にメモリデータとして格納保持されることになる。一方、本来のサンプリング間隔が当初サンプリング間隔ではない各チャンネルについては、それぞれに設定されている実測開始時刻がくるたびに、該当チャンネルのそれまでメモリ手段に保持されていた当初サンプリング間隔のメモリデータを削除したり該メモリデータに上書きしたりすることで、当初サンプリング間隔の整数倍である本来のサンプリング間隔のもとでメモリ手段に実メモリデータとして格納保持されることになる。
【符号の説明】
【００３６】
１１  データロガー
１２  装置本体
１３  制御手段
１４  メモリ手段
１４ａ  メインメモリ
１４ｂ  ワーク用・ストレージ用メモリ
１５  操作手段
１６  出力手段
１７  外部インターフェース
２２  アッテネータ
２３  アンプ
２４  Ａ／Ｄコンバータ
２５  絶縁素子
３２  入力部
【図１】
2016057665.tif 000003
【図２】
2016057665.tif 000004
【図３】
2016057665.tif 000005